(57)【要約】      （修正有）【課題】窓枠に簡単に装着でき、更に室外機と室内機を連結する配管を室外機と室内機を懸架し、冷媒を通す低圧、高圧配管２本と電源はＶＡケーブル電源と信号線で４本と排水管も一体化することで課題を解決する装置を提供する。【解決手段】  窓の仕切を挟んで外部に室外機、室内に室内機を備えたルームエアコンであって、室外機と室内機を逆凹構造とした電源と冷媒を通す配管と一体化した架台で連結し、室内機と室外機を窓枠に吊架したルームエアコンである。  窓の仕切を挟んで外部に室外機、室内に室内機を備えたルームエアコンであって、室外機と室内機を電源と冷媒を通す配管と一体化した架台で連結し、室内機の底部が室外機より上部に位置するように配置し、室内機と室外機を吊架したルームエアコンである。【選択図】  図１
2006071259.tif 000002
【特許請求の範囲】
【請求項１】
窓の仕切を挟んで外部に室外機、室内に室内機を備えたルームエアコンであって、前記室外機と室内機を逆凹構造とした電源と冷媒を通す配管とを一体化した架台で連結し、前記室内機と室外機を窓枠に吊架したルームエアコン。
【請求項２】
窓の仕切を挟んで外部に室外機、室内に室内機を備えたルームエアコンであって、前記室外機と室内機を電源と冷媒を通す配管とを一体化した架台で連結し、前記室内機の底部が室外機より上部に位置するように配置し、前記室内機と室外機を吊架したルームエアコン。
【請求項３】
前記室外機を吊架する架台は該室外機と外壁とに隙間が確保できる構造とした請求項１および請求項２記載のルームエアコン。
【請求項４】
室外機底部と室内機底部がほぼ同一レベルにした請求項１記載のルームエアコン。
【発明の詳細な説明】
【技術分野】
【０００１】    窓枠に取り付ける窓用エアコンの改良に関するものである。
【背景技術】
【０００２】    ルームエアコンは室外機と室内機が独立し、室外機で熱交換した冷気を室内の設けた室内機から噴出して冷やす構造は良く知られている。
一般的に用いられるルームエアコンは、室外機と室内機とに分離構成された分離型ルームエアコンで、室外機は圧縮機や室外熱交換器を備え、また室内機は前記室外機からの冷媒が循環する室内熱交換器を備えている。
このような分離型のルームエアコンの据え付けは、室外機をベランダに設置し、室内機を壁に取り付けると共に室外機と室内機を連結する冷媒管や制御電源、駆動電源を通す配管工事や壁に連通する穿孔が必要となる。【０００３】    壁に穿孔する場合には貸家では建物の所有者に穿孔の承諾を受けなければならない。更に室外機を窓枠に架ける構成の場合は、室外機を持ち上げて窓枠に架けなければならないが、室外機は重量物であり、一人作業では危険である。これらの問題を解決する手段として特開平１１−２８７４８３号が上げられる。該公報では壁に孔を形成することなく、室外機の落下等の危険を回避しながら窓を利用して使用者が簡便に室内から分離型のルームエアコンの据え付ける装置が開示されてる。【０００４】
【特許文献１】  特開平１１−２８７４８３号公報
【発明の開示】
【発明が解決しようとする課題】
【０００５】    前記した公報に開示された壁に孔を形成することなく、室外機の落下等の危険を回避しながら窓を利用して使用者が簡便に室内から分離型のルームエアコンの据え付ける装置であっても、室外機と室内機が一体に成形されたルームエアコンであるため、配管工事は避けて通れない。
例えば作業現場に据え付けるプレハブ事務所では電源が用意されていないから工事用の発電機を現場に運び込み据え付け工事をする必要があり、さらに配管工事を終えてから冷媒を充填する必要があり、工事等が終了するとプレハブ事務所を撤去する再には冷媒を抜き取る必要がある。【０００６】  以上のような課題に鑑み、本発明者は窓枠に簡単に装着でき、更に室外機と室内機を連結する配管を室外機と室内機を懸架し、冷媒を通す低圧、高圧配管２本と電源はＶＡケーブル電源と信号線で４本と排水管も一体化することで課題を解決する装置を提供することを目的とする。
【課題を解決するための手段】
【０００７】  窓の仕切を挟んで外部に室外機、室内に室内機を備えたルームエアコンであって、前記室外機と室内機を逆凹構造とした電源と冷媒を通す配管と一体化した架台で連結し、前記室内機と室外機を窓枠に吊架したルームエアコンである。
窓の仕切を挟んで外部に室外機、室内に室内機を備えたルームエアコンであって、前記室外機と室内機を電源と冷媒を通す配管と一体化した架台で連結し、前記室内機の底部が室外機より上部に位置するように配置し、前記室内機と室外機を吊架したルームエアコンである。
更に、前記室外機を吊架する架台は該室外機と外壁とに隙間が確保できる構造とした。
また、室外機底部と室内機底部がほぼ同一レベルにしたルームエアコンである。
【発明の効果】
【０００８】  壁に孔を形成することなく、室外機の落下等の危険を回避しながら窓を利用して使用者が窓枠に簡単に装着でき、更に室外機と室内機を連結する配管を室外機と室内機を懸架する低圧、高圧２本と電源はＶＡケーブル電源と信号線で４本と排水管も一体化することで、工事用の電源を必要としないし、始動時の冷媒のガスチャージや撤去時の冷媒を抜く必要がない。
【発明を実施するための最良な形態】
【０００９】  窓枠であるアルミサッシ等で製作してある窓枠底部（１７）の仕切を挟んで外部に室外機（１）室内に室内機（２）を備えたルームエアコンであって、前記室外機と室内機を逆凹構造とし低圧、高圧２本と電源はＶＡケーブル電源と信号線で４本と排水管を集合させたエアコン配管（５）と一体化した架台で連結し、前記室内機（２）と室外機（１）を窓枠低部（１７）に吊架したルームエアコンである。
【００１０】  窓の仕切を挟んで外部に室外機（１）室内に室内機（２）を備えたルームエアコンであって、前記室外機（１）と室内機（２）を低圧、高圧２本と電源はＶＡケーブル電源と信号線で４本と排水管を集合させた配管と一体化した架台で連結し、前記室内機の底部が室外機より上部に位置するように配置し、前記室内機と室外機を吊架したルームエアコンである。
【００１１】    室外機（１）と室内機（２）を連結するエアコン配管（５）とエアコン懸架金具（９）で形成される隙間を塞ぐ構造となっていて外気が室内に入らないように遮断用ジャバラ（２１）で仕切られている。
内壁（１６）と外壁（１５）を構成する壁の厚みは構造物によって違い簡易の建物であるプレハブ式家屋では非常に薄く、恒久的な建造物では厚みが暑い。この厚みの違いが有っても室外機（１）を支える室外機受金具（１２）に連結した室外機後部支金具（１４）が伸縮し外壁（１５）と室外機（１）の間隙が調整される。
【実施例１】
【００１２】  図１に示す実施例を図面に基づいて説明する。
窓枠であるアルミサッシ等で製作してある窓枠底部（１７）の仕切を挟んで外部に室外機（１）室内に室内機（２）を備えたルームエアコンであって、前記室外機と室内機を逆凹構造とし低圧、高圧２本と電源はＶＡケーブル電源と信号線で４本と排水管を集合させたエアコン配管（５）と一体化した架台で連結し、前記室内機（２）と室外機（１）を窓枠低部（１７）に吊架したルームエアコンである。【００１３】  窓枠底部（１７）を跨ぐように逆凹字型に加工したエアコン懸架金具（９）の両端部に室外機（１）と室内機（２）吊った状態で固定するために室外機受金具（１２）と室内機受台（４）を設けそれぞれ室内機（２）と室外機（１）を配置している。室外機受金具（１２）の一端には室外機（１）が容易に移動しないように室外機前部固定金具（３）で固定され、もう一方の端には室外機（１）と外壁（１５）との間隙を調整する機能と室外機（１）を外壁（１５）に固定する室外機後部支金具（１４）を設けてある。前記室外機後部支金具の間隙調整機構で壁の厚みの差異に対しても対応できる。
【実施例２】
【００１４】    図２に第２実施例を示し該図面に基づいて発明を開示する。
窓枠であるアルミサッシ等で製作してある窓枠底部（１７）の仕切を挟んで外部に室外機（１）室内に室内機（２）を備えたルームエアコンであって、前記室外機（１）と室外機（２）を冷媒用の低圧、高圧２本と電源はＶＡケーブル電源と信号線で４本と排水管を集合させ項見込んだエアコン配管（５）と一体化した架台であるエアコン懸架金具（９）で連結し、前記室内機（２）の室内機底部（２２）が室外機（１）の上部に位置するように配置し、前期室内機（２）と室外機（２）を吊架したルームエアコンである。【００１５】  該エアコンの室内機（２）の室内機底部（２２）に室内機を支える室内機支金具（４）がエアコン懸架金具（９）の窓枠（１７）を跨ぐエアコン懸架部中央（１８）と連結してある。
更にエアコン懸架金具（９）の下方先端部には室外機受金具（１２）が設けられこの金具に室外機（１）を載置している。載置した室外機（１）が容易に移動しないように室外機受金具（１２）の端部には室外機前部固定金具（１９）が設けられている。また前記室外機受金具（１２）の他の端部には室外機（１）と外壁（１６）との間隙を保つための室外機後部金具（１４）が設けられている。
前記したように室内機（２）を吊架固定するために室内機受台（４）が設けてあるが、該受台の内壁（１６）側には壁に当接するように上方には室内機上部固定金具（２０）、下方には室内機後部支金具（１３）が連接してある。なお、室内機（２）は室内機受台（４）に載置してあるだけでなく、落下防止のために室内機受台（４）と室内機上部固定金具（２０）の先端部にはそれぞれ鉤型をして、室内機受台（４）には室内機固定金具（１１）が立設してある。【００１６】    エアコン懸架金具（９）の上部にはエアコンは冷媒用の低圧、高圧２本と電源はＶＡケーブル電源と信号線で４本と排水管を集合させ項見込んだエアコン配管（５）が一体化し両端は室内機（２）、室外機（１）に繋ぎ込まれている。
室内機から滴下する水滴は図示してないが室外に自然流下する構造にしてある。【００１７】    コンクリート構造物や簡易プレハブ構造では壁の厚み寸法が異なる。この厚み寸法の違いに対応可能なルームエアコンを提供するように、室外機（１）を懸架する室外機固定金具（１２）後部に室外機後部支金具（１４）には隙間を調整する周知に機能が設けられて、壁の厚みの違いに対応できる。
【産業上の利用可能性】
【００１８】  本発明のルームエアコンであれば、壁に穿孔することなく、更に室外機、室内機を一体的なこう雑煮してあるので、設置時の冷媒の充填やエアコン撤去時の冷媒の抜き取りが不要であるので冷媒の漏れが起きないので環境に優しいエアコンである。
【図面の簡単な説明】
【００１９】
【図１】室外機と室内機を一体構造にしたエアコンの一例を示す図である。
【図２】室外機と室内機を一体構造にしたエアコンの一例を示す図である。
【図３】本発明品を取り付けた時の外気を遮断した構造を説明する図である、
【符号の説明】
【００２０】  １    室外機
２    室内機
３    室外機支具
４    室内機受台
５    エアコン配管
６    エアコン懸架部
７    室外機配管
８    室内機配管
９    室外機懸架金具
１０    室内機噴出し口
１１    室内機固定金具
１２    室外機受け金具
１３    室内機後部支金具
１４    室外機後部支金具
１５    外壁
１６    内壁
１７    窓底部
１８    エアコン懸架部中央
１９    室内機前部固定金具
２０    室内機上部固定金具
２１    遮蔽用ジャバラ
【図１】
2006071259.tif 000003
【図２】
2006071259.tif 000004
【図３】
2006071259.tif 000005